(57)【要約】【課題】電線保持部に対しコネクタを正規保持姿勢で確実に保持することができる電線保持具を提供する。【解決手段】電線保持部１１は保持すべきコネクタＣに挿入された電線Ｗを上方から挿入可能なスリット部１５ａと、該スリット部１５ａの両側から後方へ向けて延出して電線保持部１２に対しコネクタＣを正規姿勢に規制すべくコネクタＣの両側壁Ｃａを保持する一対の規制板１５ｃを備えている。この電線保持部１１は、支柱１３の上端に固定された一対の支持棒１２ａと、支持棒１２ａに対し着脱可能に取り付けられる保持ブロック１５とからなり、保持ブロック１５にスリット部１５ａと規制板１５ｃとを一体形成している。【選択図】図１
2007188688.tif 000002
【特許請求の範囲】
【請求項１】
電線を保持するためのＵ字状の電線保持部を上端に備えた支柱と、該支柱をワイヤハーネスの組立作業板上に取付固定するための取付部とを備えた電線保持具において、
前記電線保持部は保持すべきコネクタに挿入された電線を上方から挿入可能なスリット部と、該スリット部の両側から後方へ向けて延出して電線保持部に対しコネクタを正規姿勢に規制すべくコネクタの両側壁を保持する一対の規制板を備えていることを特徴とする電線保持具。
【請求項２】
前記電線保持部は、支柱の上端に固定された一対の支持棒と、該支持棒に対し着脱可能に取り付けられる保持ブロックとからなり、該保持ブロックは上記スリット部と規制板とを一体形成している請求項１に記載の電線保持具。
【請求項３】
前記保持ブロックは、合成樹脂製であり、各稜線のエッジ部には電線の接触による損傷防止のための面取り仕上げが施されている請求項２に記載の電線保持具。
【発明の詳細な説明】
【技術分野】
【０００１】
本発明は、電線保持具に関し、詳しくは、保持すべきコネクタを正規姿勢で確実に保持できるようにするものである。
【背景技術】
【０００２】
従来、図５（Ａ）〜（Ｂ）に示すように、ワイヤハーネスの組立作業に用いる電線保持具１としては、電線を保持するためのＵ字状の電線保持部２を上端に備えた支柱３と、この支柱３をワイヤハーネスの組立作業板上に取付固定するための取付部とを備えた金属製のものが一般に用いられている（特許文献１）。
【０００３】
この電線保持具１を用いてワイヤハーネスを組み立てるには、ワイヤハーネスの端末に取り付けられたコネクタＣに導入された電線Ｗを電線保持部２の一対の支持棒２ａ間に上方から挿入するようにして保持すると共に、コネクタＣの背面Ｃａを一対の支持棒２ａの一側面に当接させるようにして配置する（図５（Ａ））。このようにすることで、コネクタＣの背面Ｃａが一対の支持棒２ａによって電線Ｗの引っ張り方向に対し係止保持され、電線Ｗは支持棒２ａ間を通して所定の布線経路に沿って布線される。
【０００４】
【特許文献１】特開平１０−５５７２５号公報
【発明の開示】
【発明が解決しようとする課題】
【０００５】
上記のように、電線保持部２に対しコネクタＣが正規の姿勢で保持されている場合には、電線Ｗは一対の支持棒２ａの間で余裕を持って保持されるため、圧迫を受けることはない。しかしながら、図５（Ｂ）（Ｃ）のように電線保持部２に対しコネクタＣが傾いて保持されると、コネクタＣの背面Ｃａに導入された電線ＷがコネクタＣの背面Ｃａと支持棒２ａとの間で挟まれて圧迫された状態となる。このような状況においては、電線Ｗの布線経路における寸法精度に影響すると共に、電線Ｗが被覆の薄い細径電線の場合、ワイヤハーネスの布線時における引張り作用によって電線Ｗの被覆が損傷するという問題がある。
【０００６】
本発明は上記した問題に鑑みてなされたもので、電線保持部に対しコネクタを正規の保持姿勢で確実に保持することができる電線保持具を提供することを課題としている。
【課題を解決するための手段】
【０００７】
上記課題を解決するため、本発明では、電線を保持するためのＵ字状の電線保持部を上端に備えた支柱と、該支柱をワイヤハーネスの組立作業板上に取付固定するための取付部とを備えた電線保持具において、
前記電線保持部は保持すべきコネクタに挿入された電線を上方から挿入可能なスリット部と、該スリット部の両側から後方へ向けて延出して電線保持部に対しコネクタを正規姿勢に規制すべくコネクタの両側壁を保持する一対の規制板を備えていることを特徴とする電線保持具を提供している。
【０００８】
上記構成によれば、電線保持具に保持すべきコネクタは、電線保持部に設けた一対の規制板によりコネクタの両側壁が保持されるため、コネクタは電線保持部に対し傾いて保持されることなく正規の姿勢で保持される。このため、コネクタに導入された電線は電線保持部のスリットに対し、無理な圧迫を受けることなく余裕をもって保持することができる。
【０００９】
また、前記電線保持部は、支柱の上端に固定された一対の支持棒と、該支持棒に対し着脱可能に取り付けられる保持ブロックとからなり、該保持ブロックは上記スリット部と規制板とを一体形成するようにしてもよい。
【００１０】
このように構成すれば、Ｕ字状の電線保持部を備えた汎用の電線保持具に対し、保持ブロックを着脱操作するのみで、ワイヤハーネスの端末に取り付けられたコネクタ保持用の電線保持具として機能させることができると共に、保持ブロックに備えた規制板によって保持すべきコネクタを正規の姿勢で確実に保持することができる。
【００１１】
更に好ましくは、前記保持ブロックは、合成樹脂製であり、各稜線のエッジ部には電線の接触による損傷防止のための面取り仕上げが施されている構成としている。
このようにすれば、ワイヤハーネスの布線時において端末のコネクタを電線保持具へ保持する作業中に電線が保持ブロックのエッジ部に接触しても電線の被覆に損傷を与えることがない。
【発明の効果】
【００１２】
以上の説明より明らかなように、本発明の電線保持具によれば、ワイヤハーネスの端末に取り付けたコネクタを電線保持具に保持するに際し、電線保持部に対しコネクタを正規の姿勢で確実に保持することができる。よって、ワイヤハーネスの布線経路に対する寸法精度を向上できると共に、電線がコネクタの背面と支持棒との間に挟まって損傷を受けるという問題を解消することができる。
【発明を実施するための最良の形態】
【００１３】
以下、本発明の実施形態を図面を参照して説明する。
図１〜図３はワイヤハーネスの組立時に組立作業板Ａに立設して使用する電線保持具の実施形態を示し、この電線保持具１１はワイヤハーネスの端末に取り付けられたコネクタＣと電線Ｗを受け入れて保持する電線保持部１２を上端に備えた支柱１３と、この支柱１３をワイヤハーネスの組立作業板Ａの所定位置に取付固定するための取付部１４とから構成している。
【００１４】
電線保持部１２は、金属製の棒材をＵ字状に曲げ加工して支柱１３の上端に固定した一対の支持棒１２ａと、この支持棒１２ａに着脱可能に取り付けられる合成樹脂製の保持ブロック１５とからなっている。保持ブロック１５は、図２（Ａ）（Ｂ）に示すように、保持すべきコネクタＣの電線Ｗを余裕をもって挿通可能な幅を有するスリット部１５ａを備えたＵ字状の電線受部１５ｂと、保持すべきコネクタＣの幅寸法に対応してコネクタＣの両側壁を規制すべく電線受部１５ｂの一端面から所定間隔を有するようにして後方へ一体的に延出した一対の規制板１５ｃとから構成している。また、電線受部１５ｂの背面下部にはコネクタＣの上方からの挿入高さ位置を規制する段差部１５ｄを形成している。即ち、コネクタＣは電線受部１５ｂの後端面と両側の規制板１５ｃによって回転方向の位置が規制され、段差部１５ｄによって上下方向の位置が規制された正規姿勢で電線保持具１１に保持されるようになっている。
【００１５】
また、保持ブロック１５の電線受部１５ｂには、底面側から上方へ向けて支持棒１２ａを挿通可能とするための支持孔１５ｅと、支持棒１２ａの基部を嵌合するための凹部１５ｆとを形成している。上記構成を備えた保持ブロック１５は、各稜線におけるエッジ部１５ｇにＲ面、Ｃ面等の面取り加工を施し、電線Ｗがこのエッジ部１５ｇに接触しても電線Ｗの被覆に損傷を与えない構成としている。
【００１６】
支柱１２の下部に設けた取付部１４は、図１に示すように、外周に雄ネジ部１２ｂが形成され、この雄ネジ部１２ｂには、予め電線保持具１１の立設高さ位置調整を兼ねたナット１２ｃを取り付けておき、この雄ネジ部１２ｂを組立作業板Ａの取付孔Ｂに挿通した後、組立作業台Ａの裏面側から他のナット１２ｄを捻じ込むことにより組立作業板Ａに電線保持具１１を立設固定することができる。
【００１７】
次に、電線保持具１１の作用について説明する。図３（Ａ）（Ｂ）に示すように、組立作業板Ａの所定位置に固定された電線保持具１１に対し、ワイヤハーネスの布線工程において端末に取り付けられたコネクタＣを電線保持部１２に保持すると共に、コネクタＣの背面Ｃａに導入された電線Ｗをスリット部１５ａの上方から挿通するようにして保持する。このとき、コネクタＣは電線受部１５ｂの背面と両側の規制板１５ｃによって正規の姿勢に保持された状態で上方から下方へ向けて挿入され、同時に背面Ｃａに導入された電線Ｗもスリット部１５ａに沿って順次下方へ挿入される。そして、コネクタＣが段差部１５ｄに至った時点で高さ方向の位置規制も行われる。
【００１８】
このように、コネクタＣを電線保持具１１に保持するに際し、コネクタＣは保持工程の最初の段階から電線保持部１２に対する姿勢が正規の向きに規制された状態で挿入保持されるため、電線受部１５ｂとコネクタＣの背面Ｃａとの間で電線Ｗを挟み込むことがなく、これに起因する電線Ｗの被覆の損傷を未然に防止できる。また、コネクタＣに導入された電線ＷもコネクタＣの向きが規制されるのに伴ってスリット部１５ａに対し余裕を持って上方から順次挿入されるので、挿入過程において電線Ｗの被覆を損傷させるおそれがない。また、保持ブロック１５は合成樹脂製でかつ各エッジ部１５ｇは面取り処理が施されているので、従来の金属製の支持棒のように布線工程において電線Ｗが電線保持部１２に当接して擦れが生じても電線Ｗの被覆が損傷を受けるおそれはない。
また、保持ブロック１５は支持棒１２ａに対し着脱可能となっているので、保持すべき電線Ｗ、コネクタＣのサイズに応じて保持ブロック１５を取り替えることにより、汎用の電線保持具１１を有効に活用することができる。
また、コネクタＣに対する規制は、コネクタＣの両側面と背面Ｃａに対応する部分のみで、コネクタＣの嵌合面側は開放されているので、コネクタの形状に合わせて全周を規制するものに比べて作業性が良く、保持ブロック１５自体も安価に提供することができる。
【００１９】
図４（Ａ）〜（Ｄ）は電線保持具１１の変形例を示し、電線Ｗに対する損傷防止をより一層確実にするため、取付部１４のナット１２ｃを覆う保護部材１６を更に備えている。この保護部材１６は合成樹脂製からなり、布線工程中の電線Ｗのナット１２ｃとの当接による損傷を防止するため、ナット１２ｃ全体を覆うと共に、電線Ｗが引っ掛からないように略円錐台形状に形成している。また、支柱１３が上下スライドして退避可能なタイプの電線保持具１１に対しては、保護部材１６ａとして図４（Ｃ）に示すように、先窄まりで高さの短い形状のものを採用してもよい。
【００２０】
なお、上記実施形態では、電線保持部として支持棒に保持ブロックが着脱可能に嵌合固定される例を示したが、保持ブロックと支持棒が金属または合成樹脂の同一材質による一体構造であってもよい。また、電線保持部と支柱も同様に別体組付け構造であっても一体構造であってもよい。
【図面の簡単な説明】
【００２１】
【図１】本発明の電線保持具の斜視図である。
【図２】保持ブロックを示し、（Ａ）は平面図、（Ｂ）は支持棒に装着した状態の正面図、（Ｃ）はＸ−Ｘ断面図、（Ｄ）は底面図である。
【図３】電線保持具にコネクタを保持した状態を示し、（Ａ）は斜視図、（Ｂ）は平面図である。
【図４】電線保持具の変形例を示し、（Ａ）は斜視図、（Ｂ）（Ｃ）は保護部材の断面図である。
【図５】従来例を示し、（Ａ）は正規のコネクタ保持状態を示す平面図、（Ｂ）はコネクタが斜めに保持された状態の斜視図、（Ｃ）は（Ｂ）の平面図である。
【符号の説明】
【００２２】
１１  電線保持具
１２  電線保持部
１２ａ  支持棒
１３  支柱
１４  取付部
１５  保持ブロック
１５ａ  スリット部
１５ｂ  電線受部
１５ｃ  規制板
１５ｇ  エッジ部
Ａ  組立作業板
Ｗ  電線
Ｃ  コネクタ
Ｃａ  背面
【図１】
2007188688.tif 000003
【図２】
2007188688.tif 000004
【図３】
2007188688.tif 000005
【図４】
2007188688.tif 000006
【図５】
2007188688.tif 000007